(57)【要約】【課題】この発明の目的は、機器脚部の高さ調整に際し、作業上の安全性や作業の効率化を図った設置台を提供することである。【解決手段】適宜防振材を装着されて使用されるフレーム部材と、フレーム部材上に搭載される回転ハンドルを備えたジャッキ部材と、ジャッキ部材に取り付けられるユニバーサルワッシャを備えた取付ボルトとを備えており、ジャッキ部材は、上部に上記取付ボルトをナット部を、また下部にフレーム部材内にはめ込まれて自在に回転する回転ガイド部をそれぞれ形成されており、フレーム部材は筒状で、その筒状部分に上記ジャッキ部材の回転ガイド部を収納してジャッキ部材を回転自在に保持しており、前記ジャッキ部材とユニバーサルワッシャとの接触面のいずれかもしくは両方には所定の間隔で複数の溝部が形成されており、かつ該溝部に潤滑剤が充填されていることを特徴とする設置台。【選択図】  図５
2019190530.tif 000002
【特許請求の範囲】
【請求項１】
適宜防振材を装着されて使用されるフレーム部材と、フレーム部材上に搭載される回転ハンドルを備えたジャッキ部材と、ジャッキ部材に取り付けられるユニバーサルワッシャを備えた取付ボルトとを備えており、
取付ボルトは、機器脚部の取付孔に挿通されるものであり、
ジャッキ部材は、上部に上記取付ボルトをナット部を、また下部にフレーム部材内にはめ込まれて自在に回転する回転ガイド部をそれぞれ形成されており、
フレーム部材は筒状で、その筒状部分に上記ジャッキ部材の回転ガイド部を収納してジャッキ部材を回転自在に保持しており、
前記ジャッキ部材とユニバーサルワッシャとの接触面のいずれかもしくは両方には所定の間隔で複数の溝部が形成されており、かつ該溝部に潤滑剤が充填されていることを特徴とする設置台。
【請求項２】
前記ジャッキ部材の回転ハンドルは、十字ハンドルであることを特徴とする請求項１に記載の設置台。
【請求項３】
前記ジャッキ部材とユニバーサルワッシャとの接触面のいずれかもしくは両方に形成した溝部は、Ｖ溝、Ｕ溝、円弧状溝、段付き溝を含むことを特徴とする請求項１または２に記載の設置台。
【請求項４】
前記ジャッキ部材とユニバーサルワッシャとの接触面のいずれかもしくは両方に形成した溝部は、グリスもしくは潤滑オイル用の油溜りとして利用されることを特徴とする請求項１ないし３のいずれかに記載の設置台。
【請求項５】
前記ジャッキ部材とユニバーサルワッシャとの接触面の両方に形成した溝部は、前記ジャッキ部材側の溝部とユニバーサルワッシャ側の溝部とが交互に重ならない位置に配置されていることを特徴とする請求項１ないし４のいずれかに記載の設置台。
【請求項６】
前記ジャッキ部材とユニバーサルワッシャとの接触面の両方に形成した溝部は、前記ジャッキ部材側の溝部とユニバーサルワッシャ側の溝部とがユニバーサルワッシャにて傾斜角度を調整するために重なることがあり得ることを特徴とする請求項１ないし５のいずれかに記載の設置台。
【発明の詳細な説明】
【技術分野】
【０００１】
この発明は、例えば種々の精密機械や射出成形機のように水平度を必要とするような機器や、プレス機或いはコンプレッサーなど振動を伴うような機器、半導体製造装置等の脚部に取り付けて高さを調整するために使用される設置台に関する。
【背景技術】
【０００２】
従来、機器の高さを調整し、機器の水平度を安定化させて床面に設置するとともに、機器自体の振動或いは外部からの振動を緩衝する防振材を備えた設置台は、例えば、実公昭４７−１１３５８号公報（特許文献１）、特開平１０−１８４７９０号公報（特許文献２）等に示されている。
【０００３】
そして上記従来例は、上部に筒状の雌ネジ部を設けた盤状のフレーム部材と、上記雌ネジ部にはめ込んだ、ハンドル部を有する筒状のジャッキ部材と、上記ジャッキ部材に取り付けた機器等の脚を取り付ける取付ボルトとで構成されている。
【０００４】
なお本発明者は先に、特開２００６−２２４９１２号公報（特許文献３）に見られるような適宜防振材を装着されて使用されるフレーム部材と、フレーム部材上に搭載される回転台と、回転台に取り付けられる取付ボルトとを備えており、取付ボルトは、機器脚部の取付孔に挿通されるものであり、回転台は、上部に上記取付ボルトをねじ込む雌ねじ部を形成するとともに後述するフレーム部材上に搭載されるナット部を、また下部にフレーム部材内にはめ込まれて自在に回転する回転ガイド部を、さらにナット部の下部外周にレンチ受け用テーブル部をそれぞれ形成されており、フレーム部材は筒状で、その筒状部分に上記回転台の回転ガイド部を収納して回転台を回転自在に保持するともに、フレーム部材の上面とナット部との間に締付ナット取り付けて回転台の回転を所定の位置で固定することができるようにした設置台を提案した。
【特許文献１】実公昭４７−１１３５８号公報
【特許文献２】特開平１０−１８４７９０号公報
【特許文献３】特開２００６−２２４９１２号公報
【発明の概要】
【発明が解決しようとする課題】
【０００５】
従来は、大型機器のレベリングに際しては機械本体を別途、油圧ジャッキにてレベル調整近似値まで上げる作業を行っていて非常に手間がかかっており、また重加重によって十字ハンドルが損傷するという問題点があった。
【０００６】
この発明の目的は、スラストベアリングを用いないで、大型機のレベリング作業が可能となる上、スラストベアリング機構を用いないので大幅なコストダウンが図れ、かつ機器脚部の高さ調整に際し、作業上の安全性や作業の効率化を図った設置台を提供することにある。
【課題を解決するための手段】
【０００７】
この発明の設置台は前記目的を達成するためになされたもので、適宜防振材を装着されて使用されるフレーム部材と、フレーム部材上に搭載される回転ハンドルを備えたジャッキ部材と、ジャッキ部材に取り付けられるユニバーサルワッシャを備えた取付ボルトとを備えており、
取付ボルトは、機器脚部の取付孔に挿通されるものであり、
ジャッキ部材は、上部に上記取付ボルトをねじ込むナット部を、また下部にフレーム部材内にはめ込まれて自在に回転する回転ガイド部をそれぞれ形成されており、
フレーム部材は筒状で、その筒状部分に上記ジャッキ部材の回転ガイド部を収納してジャッキ部材を回転自在に保持しており、
前記ジャッキ部材とユニバーサルワッシャとの接触面のいずれかもしくは両方には所定の間隔で複数の溝部が形成されており、かつ該溝部に潤滑剤が充填されていることを特徴とするものである。
【０００８】
この発明の設置台において、前記ジャッキ部材の回転ハンドルは、十字ハンドルであることをも特徴とするものである。
【０００９】
この発明の設置台において、前記ジャッキ部材とユニバーサルワッシャとの接触面のいずれかもしくは両方に形成した溝部は、Ｖ溝、Ｕ溝、円弧状溝、段付き溝を含むことをも特徴とするものである。
【００１０】
この発明の設置台において、前記ジャッキ部材とユニバーサルワッシャとの接触面のいずれかもしくは両方に形成した溝部は、グリスもしくは潤滑オイル用の油溜りとして利用されることをも特徴とするものである。
【００１１】
この発明の設置台において、前記ジャッキ部材とユニバーサルワッシャとの接触面の両方に形成した溝部は、前記ジャッキ部材側の溝部とユニバーサルワッシャ側の溝部とが交互に重ならない位置に配置されていることをも特徴とするものである。
【００１２】
この発明の設置台において、前記ジャッキ部材とユニバーサルワッシャとの接触面の両方に形成した溝部は、前記ジャッキ部材側の溝部とユニバーサルワッシャ側の溝部とがユニバーサルワッシャにて傾斜角度を調整するために重なることがあり得ることをも特徴とするものである。
【発明の効果】
【００１３】
この発明の設置台によれば、レベル出し作業時に機械重量が加わる際の回転トルクが大幅に軽減できる。
すなわち、ユニバーサルワッシャやジャッキ部材に設けた溝部はグリスもしくは潤滑オイル用の溜りを形成するため、接触面の減少による回転抵抗の低減はもちろん、グリスもしくは潤滑オイル等の潤滑剤による潤滑性の向上によって回転トルクが低下し、機器類の脚部の高さ調整のための昇降を簡単に行うことができる。
もちろん、ジャッキ部材の回転ハンドルにかかる負荷も減るため、回転ハンドルが破損しにくく、設置台の耐久性を大幅に向上させることができるようになった。
【図面の簡単な説明】
【００１４】
【図１】この発明の設置台の実施の形態を示す正面図である。
【図２】その平面図である。
【図３】その斜視図である。
【図４】その断面図である。
【図５】その要部拡大断面図である。
【図６】（ａ）はジャッキ部材の正面図、（ｂ）はその平面図である。
【図７】（ａ）はジャッキ部材の断面図、（ｂ）はその要部拡大断面図である。
【図８】（ａ）はユニバーサルワッシャの正面図、（ｂ）はその底面図である。
【図９】（ａ）はユニバーサルワッシャの断面図、（ｂ）はその要部拡大断面図である。
【図１０】この発明の設置台の組立前の状態を示す分解正面図である。
【図１１】その分解斜視図である。
【図１２】下方から見た分解斜視図である。
【発明を実施するための形態】
【００１５】
以下、この発明の設置台の実施の形態について、添付図面を参照して詳細に説明する。
この発明の設置台の実施の形態を示す図１ないし図５において、設置台１１は適宜防振材２１を装着されて使用されるフレーム部材１２と、フレーム部材１２上に搭載される回転ハンドル１４を備えたジャッキ部材１３と、該ジャッキ部材１３に取り付けられるユニバーサルワッシャ１６を備えた取付ボルト１５とを備えている。該取付ボルト１５は、設置しようとする機器脚部の取付孔に挿通され、締付ナット１９で固定されるものである。
【００１６】
前記ジャッキ部材１３は、上部に上記取付ボルト１５をねじ込むナット部１３ａを、また下部にフレーム部材１２内にはめ込まれて自在に回転する回転ガイド部１３ｂをそれぞれ形成されている。
なお、前記ジャッキ部材１３の回転ハンドル１４は、十字ハンドルを好適に使用することができる。
そして前記フレーム部材１２は筒状であって、その筒状部分に上記ジャッキ部材１３の回転ガイド部１３ｂを収納し、ジャッキ部材１３を回転自在に保持している。
【００１７】
図４および図５において、前記ジャッキ部材１３とユニバーサルワッシャ１６との接触面には所定の間隔で複数の溝部１７，１８が形成されており、かつ該溝部１７，１８はグリスもしくは潤滑オイル用の油溜りとして利用され、グリスもしくは潤滑オイルからなる潤滑剤が充填されている。
なお、前記溝部１７，１８は、前記ジャッキ部材１３とユニバーサルワッシャ１６との接触面のいずれかもしくは両方に形成することができる。
【００１８】
この発明の設置台１１において、前記ジャッキ部材１３とユニバーサルワッシャ１６との接触面のいずれかもしくは両方に形成した溝部１７，１８は、Ｖ溝、Ｕ溝、円弧状溝、段付き溝等の適宜の構造を採用することができる。
もちろんその際には、グリスもしくは潤滑オイルからなる潤滑剤との適性や潤滑剤の保持能力、またジャッキ部材１３を回転させたときの負荷の低減等を考慮して決定することが望ましい。
【００１９】
この発明の設置台１１において、前記ジャッキ部材１３とユニバーサルワッシャ１６との接触面の両方に溝部１７，１８を形成する場合には、前記ジャッキ部材１３側の溝部１７とユニバーサルワッシャ１６側の溝部１８とが交互に重ならない位置に配置されていることが望ましい。
すなわち、前記ジャッキ部材１３側の溝部１７とユニバーサルワッシャ１６側の溝部１８とを交互に重ならない位置に配置することにより、それぞれの接触面における負荷が大幅に低減されることになるのである。
なお、前記ジャッキ部材１３とユニバーサルワッシャ１６との接触面の両方に形成した溝部１７，１８は、前記ジャッキ部材１３側の溝部１７とユニバーサルワッシャ１６側の溝部１８とが、ユニバーサルワッシャ１６にて搭載する機器類の傾斜角度（最大許容角度３度）を調整するために重なることがあってもよいことはもちろんである。
【００２０】
図６（ａ）はジャッキ部材の正面図、（ｂ）はその平面図であり、また図７（ａ）はジャッキ部材の断面図、（ｂ）はその要部拡大断面図である。
図６および図７に示すように、前記ジャッキ部材１３の凹状の座面にはＵ字断面の複数の溝部１７が所定間隔でリング状に形成されている。
そして、図８（ａ）はユニバーサルワッシャの正面図、（ｂ）はその底面図であり、また図９（ａ）はユニバーサルワッシャの断面図、（ｂ）はその要部拡大断面図である。
図８および図９に示すように、前記ユニバーサルワッシャ１６の断面が円弧状の座面にはＵ字断面の複数の溝部１８が所定間隔でリング状に形成されている。
その上で、前記ジャッキ部材１３側の溝部１７とユニバーサルワッシャ１６側の溝部１８とが交互に重ならない位置においてジャッキ部材１３とユニバーサルワッシャ１６の両者を接合するのである。
なお、ユニバーサルワッシャ１６にて搭載する機器類の傾斜角度（最大許容角度３度）を調整するために溝部１７，１８が重なることがあってもよいことは上述の通りである。
【００２１】
この発明の設置台１１の全体構造を図１０ないし図１２に示す。
図に示すように、まず接地面の上面に複数のピン２１ａを突設した防振材２１をセットする。他方前記フレーム部材１２には、前記防振材２１上面のピン２１ａと対向する面に係合孔１２ａを形成しておく。
その上で、該フレーム部材１２の係合孔１２ａを前記防振材２１上面のピン２１ａにはめ込んで、前記防振材２１上にフレーム部材１２を装着する。
そして、前記フレーム部材１２の筒状内に前記ジャッキ部材１３の回転ガイド部１３ｂをはめ込んで回転ハンドル１４を備えたジャッキ部材１３を装着する。
その後、前記ジャッキ部材１３の上面に前記ユニバーサルワッシャ１６をはめ込んだ状態で取付ボルト１５を前記ジャッキ部材１３のナット部１３ａに取り付けるのである。
最後に設置すべき機器類に前記取付ボルト１５を挿通し、ワッシャ２０を介して締付ナット１９で前記取付ボルト１５に機器類を固定するものである。
【００２２】
上記設置台１１は、上述のように前記ジャッキ部材１３の回転ハンドル１４を回すことにより、前記ジャッキ部材１３を自由に回転させることができるので、前記ジャッキ部材１３に固定した取付ボルト１５も自由に昇降させることができる。したがって、取付ボルト１５を機器類に設けた脚部の取付孔の雌ネジ部にはめ込み、回転ハンドル１４を回して取付ボルト１５を回転させることにより、機器類の高さを迅速に調整することができる。すなわち、種々の機器類の４隅、あるいはその他の適所に設けた脚部にこの発明の設置台１１を取り付け、レベル等を見ながら適宜その高さを調整することにより、機器類の高さを調整すればよい。高さ位置の固定は、締付ナット１９を締め付けることにより簡単に行なうことができる。
【産業上の利用可能性】
【００２３】
この発明の設置台によれば、例えば種々の精密機械や射出成形機のように水平度を必要とするような機器や、プレス機或いはコンプレッサーなど振動を伴うような機器、半導体製造装置等の脚部に取り付けて高さを調整するために使用される設置台を提供することができる。もちろん、この発明を逸脱しない範囲で類似の用途に応用できることはもちろんである。
【符号の説明】
【００２４】
１１  設置台
１２  フレーム部材
１２ａ  係合孔
１３  ジャッキ部材
１３ａ  ナット部
１３ｂ  回転ガイド部
１４  回転ハンドル
１５  取付ボルト
１６  ユニバーサルワッシャ
１７，１８  溝部
１９  締付ナット
２０  ワッシャ
２１  防振材
２１ａ  ピン
【図１】
2019190530.tif 000003
【図２】
2019190530.tif 000004
【図３】
2019190530.tif 000005
【図４】
2019190530.tif 000006
【図５】
2019190530.tif 000007
【図６】
2019190530.tif 000008
【図７】
2019190530.tif 000009
【図８】
2019190530.tif 000010
【図９】
2019190530.tif 000011
【図１０】
2019190530.tif 000012
【図１１】
2019190530.tif 000013
【図１２】
2019190530.tif 000014